(57)【要約】【課題】ナースコール子機からの呼出信号を受信した際の携帯端末の利便性を向上させることが可能なナースコールシステムを提供する。【解決手段】ナースコールシステム１は、ナースコール子機２と、ナースコール親機５と、医療従事者が携帯する携帯端末６と、ナースコール子機２、ナースコール親機５、および携帯端末６の間の通信を制御するナースコール制御機７と、ナースコール子機２、ナースコール親機５、および携帯端末６の間の通話を制御する構内交換機８と、を備える。ナースコール子機２から携帯端末６に向けて構内交換機８を介して通話路を形成するための呼出信号が発信されたとき、携帯端末６は、ナースコール制御機７から呼出信号と関連する患者の患者情報を受信して患者情報を用いて呼出画面を生成し、携帯端末６の表示部に表示されている画面の一部に、呼出画面を重ねて表示する。【選択図】図１
2019097864.tif 000002
【特許請求の範囲】
【請求項１】
ナースコール子機と、
ナースコール親機と、
医療従事者が携帯する携帯端末と、
前記ナースコール子機、前記ナースコール親機、および前記携帯端末の間の通信を制御するナースコール制御機と、
前記ナースコール子機、前記ナースコール親機、および前記携帯端末の間の通話を制御する構内交換機と、
を備え、
前記ナースコール子機から前記携帯端末に向けて前記構内交換機を介して通話路を形成するための呼出信号が発信されたとき、
前記携帯端末は、前記ナースコール制御機から前記呼出信号と関連する患者の患者情報を受信して当該患者情報を用いて呼出画面を生成し、前記携帯端末の表示部に表示されている画面の一部に、前記呼出画面を重ねて表示する、
ナースコールシステム。
【請求項２】
前記患者情報は、患者氏名、病室番号およびベッド番号である、
請求項１に記載のナースコールシステム。
【請求項３】
前記携帯端末の表示部に表示されている画面は、電子カルテである、
請求項１または２に記載のナースコールシステム。
【請求項４】
前記表示部に表示された呼出画面に対して所定の動作を行うことにより、前記ナースコール子機と通話可能になる、
請求項１から３のいずれかに記載のナースコールシステム。
【請求項５】
前記表示部に表示された呼出画面に対して所定の動作を行うことにより、前記呼出画面を非表示とすることができる、
請求項１から３のいずれかに記載のナースコールシステム。
【請求項６】
前記ナースコール制御機および前記携帯端末と通信可能に接続されるとともに、前記ナースコール子機から呼び出されたことを示す着信画面を生成することが可能な電話帳サーバ、
を備え、
前記電話帳サーバは、前記ナースコール制御機から前記呼出信号と関連する患者の患者情報を受信して当該患者情報を用いて着信画面を生成し、
前記携帯端末は、前記表示部に呼出画面が表示されてから所定時間経過した後に、前記呼出画面を前記着信画面に切り替えて表示する、
請求項１に記載のナースコールシステム。
【発明の詳細な説明】
【技術分野】
【０００１】
本発明は、患者等が医療従事者を呼び出すためのナースコールシステムに関するものである。
【背景技術】
【０００２】
従来、入院患者が、その患者自身が利用するベッドに設置されたナースコール子機を用いて、ナースステーションに設置されたナースコール親機や担当の医療従事者（医師や看護師等）が携帯する携帯端末を呼び出すことが可能なナースコールシステムがある。
【０００３】
病院内に、例えば所定の周波数帯を利用したローカル通信網が構築されている。ナースコール子機からの呼出信号は、交換機及びローカル通信網を介して、呼出先の医療従事者が携帯する携帯端末に通知され、携帯端末側で着信を許可した後に、患者と医療従事者間で通話が可能となる。
【０００４】
携帯端末は、ナースコール子機からの呼出信号を受信すると、その表示部に、表示画面として、ナースコール子機の子機ＩＤおよび患者氏名等を含んだ呼出画面を表示する（例えば、特許文献１参照）。例えば、携帯端末の表示部に表示された電子カルテを操作中であっても、呼出信号を受信すると、表示画面が、電子カルテから呼出画面に切り替わる。
【先行技術文献】
【特許文献】
【０００５】
【特許文献１】特開２０１４−１７１１９１号公報
【発明の概要】
【発明が解決しようとする課題】
【０００６】
このような従来のナースコールシステムの構成では、ナースコール子機からの呼び出しに対して確実に対応できるように、担当の医療従事者以外の医療従事者が携帯する携帯端末にも呼出信号が通知されるように設定されている。そのため、ナースコール子機からの呼出信号を受信する頻度が高くなり、そのたびに携帯端末の表示画面が自動的に呼出画面に切り替わることになる。例えば、既に携帯端末の表示部に表示されている電子カルテの操作を優先したい場合であっても、呼出信号を受信すると呼出画面に切り替わるため、電子カルテの操作を続けることができない。このように、従来のナースコールシステムの構成では、携帯端末が呼出信号を受信した際の利便性に改善の余地があった。
【０００７】
そこで、本発明は、ナースコール子機からの呼出信号を受信した際の携帯端末の利便性を向上させることが可能なナースコールシステムを提供する。
【課題を解決するための手段】
【０００８】
上記目的を達成するために、本発明のナースコールシステムは、
ナースコール子機と、
ナースコール親機と、
医療従事者が携帯する携帯端末と、
前記ナースコール子機、前記ナースコール親機、および前記携帯端末の間の通信を制御するナースコール制御機と、
前記ナースコール子機、前記ナースコール親機、および前記携帯端末の間の通話を制御する構内交換機と、
を備え、
前記ナースコール子機から前記携帯端末に向けて前記構内交換機を介して通話路を形成するための呼出信号が発信されたとき、
前記携帯端末は、前記ナースコール制御機から前記呼出信号と関連する患者の患者情報を受信して当該患者情報を用いて呼出画面を生成し、前記携帯端末の表示部に表示されている画面の一部に、前記呼出画面を重ねて表示する、
ナースコールシステム。
【０００９】
上記構成によれば、例えば、患者がナースコール子機を用いてナースコールしたとき、医療従事者が携帯する携帯端末では、構内交換機を介して送信されてきた呼出信号により呼出動作が行われるとともに、呼出画面が携帯端末の表示部に表示されている画面の一部に重ねて表示される。このため、呼出し直前まで見ていた画面を見ながら、患者情報を確認できるため、ナースコール子機からの呼出信号を受信した際の携帯端末の利便性を向上させることができる。
【００１０】
また、本発明のナースコールシステムにおいて、
前記患者情報は、患者氏名、病室番号およびベッド番号である。
【００１１】
上記構成によれば、携帯端末を携帯する医療従事者は、呼出画面に含まれる患者氏名、病室番号およびベッド番号の患者情報を確認し、呼出への応答の要否を判断することができる。
【００１２】
また、本発明のナースコールシステムにおいて、
前記携帯端末の表示部に表示されている画面は、電子カルテである。
【００１３】
上記構成によれば、携帯端末を携帯する医療従事者は、呼出し直前まで見ていた電子カルテを見ながら、患者情報を確認できるため、ナースコール子機からの呼出信号を受信した際の携帯端末の利便性を向上させることができる。
【００１４】
また、本発明のナースコールシステムにおいて、
前記表示部に表示された呼出画面に対して所定の動作を行うことにより、前記ナースコール子機と通話可能になる。
【００１５】
上記構成によれば、携帯端末を携帯する医療従事者は、呼出への応答が必要な場合には、所定の動作でナースコール子機と通話することが出来る。
【００１６】
また、本発明のナースコールシステムは、
前記表示部に表示された呼出画面に対して所定の動作を行うことにより、前記呼出画面を非表示とすることができる。
【００１７】
上記構成によれば、携帯端末を携帯する医療従事者は、呼出し直前まで見ていた画面の確認を優先すべき場合には、所定の動作を行うことにより、呼出画面を非表示とし、確認すべき画面を広く表示することができる。
【００１８】
また、本発明のナースコールシステムは、
前記ナースコール制御機および前記携帯端末と通信可能に接続されるとともに、前記ナースコール子機から呼び出されたことを示す着信画面を生成することが可能な電話帳サーバ、
を備え、
前記電話帳サーバは、前記ナースコール制御機から前記呼出信号と関連する患者の患者情報を受信して当該患者情報を用いて着信画面を生成し、
前記携帯端末は、前記表示部に呼出画面が表示されてから所定時間経過した後に、前記呼出画面を前記着信画面に切り替えて表示する。
【００１９】
上記構成によれば、携帯端末を携帯する医療従事者は、呼出画面よりも詳細な患者情報を含む着信画面を確認し、呼出への応答の要否を判断することができる。
【発明の効果】
【００２０】
本発明のナースコールシステムによれば、ナースコール子機からの呼出信号を受信した際の携帯端末の利便性を向上させることができる。
【図面の簡単な説明】
【００２１】
【図１】本発明の実施形態に係るナースコールシステムの構成図である。
【図２】ナースコール制御機の機能ブロック図である。
【図３】患者情報テーブルの一例を示す図である。
【図４】携帯端末の機能ブロック図である。
【図５】（ａ）は携帯端末の表示画面に表示されている電子カルテの一例を示す図であり、（ｂ）は前記（ａ）の電子カルテが表示された状態でナースコールがされたときに携帯端末に表示される着信アイコンの一例を示す図であり、（ｃ）は前記（ｂ）の着信アイコンが表示された状態から所定時間経過したときに携帯端末に電子カルテの一部に重ねて表示される呼出画面の一例を示す図である。
【図６】（ａ）はナースコールに対して応答するための操作の一例であり、図５（ｃ）の呼出画面を下方向にスワイプ操作することにより通話操作画面に切り替える一例を示す図であり、（ｂ）は携帯端末の表示画面に表示される通話操作画面の一例を示す図である。
【図７】（ａ）はナースコールに対して応答するための操作の別の例であり、図５（ｃ）の呼出画面を下方向にスワイプ操作することにより応答選択画面に切り替える一例を示す図であり、（ｂ）は携帯端末の表示画面に表示される応答選択画面の一例であり、内線操作項目をタップ操作することにより通話操作画面に切り替える一例を示す図であり、（ｃ）は携帯端末の表示画面に表示される通話操作画面の一例を示す図である。
【図８】（ａ）は呼出画面を非表示とするための操作の一例であり、図５（ｃ）の呼出画面を上方向にスワイプ操作することにより呼出画面を非表示とする一例を示す図であり、（ｂ）は呼出画面が非表示とされた携帯端末の表示画面の一例を示す図である。
【図９】（ａ）は本発明の変形例を示す図であり、電子カルテの一部に重ねて表示された呼出画面の一例であり、（ｂ）は前記（ａ）の呼出画面が表示された状態から所定時間経過したときに携帯端末の表示画面に切り替え表示される着信画面の一例を示す図である。
【図１０】図９の本発明の変形例に係るナースコールシステムの構成図である。
【図１１】電話帳サーバの機能ブロック図である。
【図１２】（ａ）はナースコールがされていないときの電話帳サーバの一例を示す図であり、（ｂ）はナースコールがされているときの電話帳サーバの一例を示す図である。
【発明を実施するための形態】
【００２２】
以下、本実施形態の一例について、図面を参照して説明する。
図１に示すように、ナースコールシステム１は、ナースコール子機２と、廊下灯３と、カメラ４と、ナースコール親機５と、携帯端末６と、ナースコール制御機７と、構内交換機８と、ローカル用基地局９と、オーダリングシステム１０と、管理サーバ１１とを備えている。
【００２３】
ナースコール子機２は伝送線Ｌ１を介して廊下灯３に接続されており、カメラ４は伝送線Ｌ２を介して廊下灯３に接続されている。ローカル用基地局９は、伝送線Ｌ３を介して構内交換機８に接続されている。また、各部は、ネットワークＮ（本例では、ＬＡＮ：Ｌｏｃａｌ  Ａｒｅａ  Ｎｅｔｗｏｒｋ）を介して通信可能に接続されるとともに、必要に応じてハブ（ＨＵＢ）１５により分配されて接続されている。
【００２４】
ナースコール子機２は、病室内の病床（ベッド）毎に設置されており、プレート子機２１と、プレート子機２１に着脱可能な握り子機２２とを備えている。プレート子機２１は、医療従事者を呼び出すための呼出ボタンと、通話するためのマイク及びスピーカとを有する。握り子機２２は、医療従事者を呼び出すための呼出ボタンを有する。ナースコール子機２は、ネットワークＮ上で用いられる個別の子機番号（子機ＩＤ）を有する。
【００２５】
廊下灯３は、例えば各病室の出入口付近に設置されており、ナースコール子機２を操作した患者の氏名、ベッド番号等の患者情報を表示する液晶表示部３１と、ナースコール子機２から呼び出しが発せられたことを報知する表示ランプ３２とを備えている。患者の氏名、病室番号、ベッド番号等の情報は、各ナースコール子機２の子機ＩＤと対応付けて廊下灯３の記憶部（図示省略）に記憶されている。廊下灯３は、ナースコール子機２から送出された呼出信号をネットワークＮを介してナースコール制御機７へ送信する。
【００２６】
カメラ４は、各ベッドにいる患者の状態（様子）を撮影するためのものであり、病室内の例えばベッド毎に設置されている。各カメラ４は、それぞれのカメラを特定することが可能なＩＰアドレス（Ｉｎｔｅｒｎｅｔ  Ｐｒｏｔｏｃｏｌアドレス：接続先情報の一例）を有する。
【００２７】
ナースコール親機５は、ナースステーション等に設置されており、ナースコール子機２からの呼び出しに応答可能に構成されている。ナースコール親機５は、呼び出しに応答するためのハンドセット５１と、患者情報が表示される小型モニタ５２と、各患者の詳細情報が一覧表示される大型モニタ５３とを備えている。
【００２８】
携帯端末６（本例では、携帯端末６ａ〜６ｅ）は、医療従事者（例えば看護師、医師等）が業務に使用するために携帯する端末である。携帯端末６としては、例えばタッチパネル式の表示画面６３を有するとともに、無線通信（例えば、「ＷｉＦｉ」）可能なスマートフォン等が用いられる。携帯端末６は、ネットワークＮ上で用いられる個別の携帯番号（携帯端末ＩＤ）を有する。
【００２９】
携帯端末６は、病院内に構築されたローカル通信網（ネットワークＮ）を介して携帯端末６とナースコール子機２とを通話可能に接続する通話モードを有する。この通話モードでは、ローカル用基地局９を介して無線通信により構内交換機８と携帯端末６とを接続し、上記携帯端末ＩＤを用いて携帯端末６とナースコール子機２間の通話が可能になる。また、さらに、携帯端末６は、病院内に設置されたルータ（図示省略）を介して無線通信により携帯端末６とカメラ４とを通信可能に接続する通信モードを有する。また、携帯端末６は、病院内に設置されたルータ（図示省略）を介して無線通信により携帯端末６とナースコール制御機７とを通信可能に接続する通信モードを有する。さらに、携帯端末６は、ローカル通信網を介してインターネットに接続する通信モードを有する。
【００３０】
ナースコール制御機７は、ナースコール子機２と各機器間の通信を制御する。例えば、ナースコール制御機７は、ナースコール子機２からナースコールが発信された際に、ナースコール子機２とナースコール親機５との間の通信、およびナースコール子機２と携帯端末６との間の通信を制御する。また、ナースコール制御機７は、携帯端末６から患者の電子カルテの要求信号が発信された際に、ナースコール制御機７と携帯端末６との間の通信を制御する。
【００３１】
構内交換機８（例えば、ＰＢＸ：Ｐｒｉｖａｔｅ  Ｂｒａｎｃｈ  Ｅｘｃｈａｎｇｅ）は、ナースコール子機２と携帯端末６との通話接続や、ナースコール親機５と携帯端末６との通話接続等を管理するための機器であり、病院内の共用部等に設置されている。ローカル用基地局９は、携帯端末６との間で無線通信を行うためのアンテナであり、病院内に所定の間隔で設置されている。
【００３２】
オーダリングシステム１０は、患者情報、医師が作成するカルテ（電子カルテ）や患者の処方等の入力を行うためのシステムであり、例えば病院内に設置されている。また、オーダリングシステム１０は、ローカル通信網を介して管理サーバ１１と通信可能に接続され、オーダリングシステム１０にて作成された情報は、管理サーバ１１に記憶される。電子カルテは、患者の治療の経過を記録したものであり、患者の住所、氏名、性別及び年齢、病名及び主要症状、治療方法（処方及び処置）、診療の年月日、等の情報を記録したものである。なお、オーダリングシステム１０は、病院外に設けられ、インターネットを介して管理サーバ１１と通信可能に接続されるようにしてもよい。
【００３３】
管理サーバ１１は、患者の情報、携帯端末の情報、医療従事者の情報等を含む病院に関する最新の情報を一括して管理するサーバである。
【００３４】
次に、ナースコール制御機７の機能について図２，図３を参照して説明する。
図２に示すように、ナースコール制御機７は、制御機ＣＰＵ７１と、制御機ＣＰＵ７１に接続された記憶部７２、及び制御機インターフェース回路（以下、インターフェース回路を「Ｉ／Ｆ」と称す）７３とを備えている。
【００３５】
記憶部７２には、入院患者に関連する情報が記憶された患者情報テーブル７２ａおよび入院患者に関連する電子カルテの情報が記憶された電子カルテ記憶部７２ｂが設けられている。患者情報テーブル７２ａは、例えば図３に示すように、患者の氏名、診療科目、救護区分、担当看護師（看護師ＩＤ）、担当チームの看護師（看護チームＩＤ）、カメラ４の撮影映像等の患者情報をナースコール子機の子機ＩＤと対応付けて記憶する。なお、患者情報テーブル７２ａの各情報は、例えば、管理サーバ１１の情報が更新されるたびに管理サーバ１１から送信されて最新の情報へと更新される。また、電子カルテ記憶部７２ｂの電子カルテの情報は、例えば、管理サーバ１１の電子カルテの情報が更新されるたびに管理サーバ１１から送信されて最新の情報へと更新される。なお、ナースコール制御機７をオーダリングシステム１０とローカル通信網を介して通信可能に接続し、オーダリングシステム１０から入力される電子カルテの情報を電子カルテ記憶部７２ｂに記憶してもよい。
【００３６】
制御機ＣＰＵ７１は、例えば記憶部７２に記憶される情報の送受信等の管理、ナースコール子機２からのナースコールに対するナースコール親機５及び所定の携帯端末６への接続処理等を行う。制御機Ｉ／Ｆ７３は、ネットワークＮとの信号伝送路を形成するための通信部を構成する。
【００３７】
また、制御機ＣＰＵ７１は、携帯端末６から無線通信を介して電子カルテの要求信号を受信すると、要求信号に含まれる患者に対応する電子カルテの情報を電子カルテ記憶部７２ｂから読み出し、読み出した電子カルテ情報を無線通信を介して携帯端末６へ送信する。
【００３８】
次に、携帯端末６の機能について図４を参照して説明する。
図４に示すように、携帯端末６は、携帯ＣＰＵ６１と、携帯ＣＰＵ６１に接続された携帯アプリケーション６２、表示画面６３、携帯Ｉ／Ｆ６４とを備えている。
【００３９】
携帯アプリケーション６２には、携帯端末６の処理を行うためのアプリケーションがインストールされている。例えば、ナースコールを知らせる呼出信号を携帯端末６が受信したとき、所定の操作に基づいて、携帯端末６をカメラ４の撮影映像にアクセスさせるアプリケーションがインストールされている。また、携帯端末６に対して所定の入力操作がなされたとき、ナースコール制御機７から電子カルテの情報を取得するアプリケーションがインストールされている。
【００４０】
携帯ＣＰＵ６１は、携帯アプリケーション６２にインストールされているアプリケーションに基づいて、携帯端末６の各部の動作を制御する。携帯Ｉ／Ｆ６４は、構内交換機８と信号伝送路を形成するための通信部を構成している。
【００４１】
次に、携帯端末の表示画面に電子カルテを表示している状態で、ナースコールがあった場合のナースコールシステム１の動作の一例を説明する。
例えば、図５（ａ）に示すように、携帯端末の表示画面に電子カルテを表示している状態で、内科フロアにおける１０１号室のベッド番号１に入院している患者（「矢部裕之」）からナースコールがあった場合、ナースコールシステム１は以下のように動作する。
【００４２】
医療従事者を呼び出すための呼出信号（ナースコール信号）が伝送線Ｌ１を介してナースコール子機２から廊下灯３へ送信される。廊下灯３は、呼出操作が行われたナースコール子機２を識別し、記憶部に記憶されている患者情報を参照して、識別したナースコール子機２の子機ＩＤを呼出信号に付加する。本例では、１０１号室の番号１のベッドに設置されているナースコール子機２の子機ＩＤは「１０１−１」に設定されている。子機ＩＤ付きの呼出信号は、ネットワークＮを介して、廊下灯３からナースコール制御機７に送信される。
【００４３】
子機ＩＤ付きの呼出信号を受信したナースコール制御機７の制御機ＣＰＵ７１は、付加されている子機ＩＤを読み取り、子機ＩＤと患者情報テーブル７２ａ（図３参照）とを照合する。制御機ＣＰＵ７１は、患者情報テーブル７２ａにおいて、子機ＩＤ「１０１−１」に対応付けられている患者情報の中から、例えば患者氏名「矢部裕之」と携帯端末ＩＤ「１００３．１００７．１００９」を選択する。そして、制御機ＣＰＵ７１は、呼出信号にナースコール子機２の内線番号（図１２参照）を付加したものと、上記選択した患者氏名および携帯端末ＩＤとを構内交換機８へ送信する。なお、本例において内線番号は、子機ＩＤの先頭に「９９」を付加した番号、例えば「９９１０１−１」のように形成されている。
【００４４】
構内交換機８は、受信した携帯端末ＩＤ（「１００３．１００７．１００９」）に基づいて送信先の携帯端末（本例では、携帯端末６ａ〜６ｅの中の携帯端末６ａ〜６ｃとする）を特定する。構内交換機８は、内線番号付きの呼出信号と患者氏名とを、ローカル用基地局９を介して、携帯端末６ａ〜６ｃへ向けて送信する。
【００４５】
ナースコール制御機７から構内交換機８を介して内線番号付きの呼出信号と患者氏名とを受信した携帯端末６ａ〜６ｃでは、呼出音が出力されるとともに、例えば図５（ｂ）に示すような着信を示すアイコン６５が表示画面の上端部に表示される。そして、所定時間（例えば、数秒）経過後、患者情報、例えば、病室番号、ベッド番号および患者氏名を含む呼出画面６６が電子カルテの一部に重ねて表示される（図５（ｃ））。
【００４６】
携帯端末６ａ〜６ｃを携帯する医療従事者は、図６（ａ）に示すように、呼出画面６６を所定の操作、例えば、スワイプ操作やクリック操作することにより（図では下方向のスワイプ操作）、表示画面が、通話操作画面に切り替わる（図６（ｂ））。この状態で、医療従事者は、応答ボタン６７を押すことでナースコールを行った患者「矢部裕之」と通話可能になる。なお、内線操作以外の操作（例えば、ある機能の設定操作）がある場合には、通話操作画面に切り替わる前に、内線操作およびその他の操作を選択する応答選択画面を表示し、内線操作項目を所定の操作、例えば、タップ操作することにより、通話操作画面に切り替わる設定としてもよい（図７（ａ）〜（ｃ）参照）。
【００４７】
一方、呼出画面６６を非表示とする場合には、図８（ａ）に示すように、呼出画面６６を所定の操作、例えば、スワイプ操作やクリック操作することにより（図では上方向のスワイプ操作）、図８（ｂ）に示すように、呼出画面が非表示となり、表示画面には、着信アイコン６５および電子カルテのみを表示した状態となる。なお、所定の操作ではなく、所定時間経過すると自動的に呼出画面６６が非表示となる設定としてもよい。また、所定の操作、例えば、着信アイコンをクリック操作することにより、呼出画面を再表示する設定としてもよい。
【００４８】
図６（ｂ）において、患者との通話が終了して終話操作がなされると、表示画面は、呼び出し前の状態、すなわち、電子カルテのみを表示した状態となる（図５（ａ））。なお、他の携帯端末によりナースコールに対して応答がなされた場合にも、呼び出しは終了する。
【００４９】
（変形例）
上記実施形態の呼出画面は、患者情報として、病室番号、ベッド番号、患者氏名を表示するものであるが、図９（ｂ）に示すように、より詳しい患者情報を含む着信画面６８を表示することも可能である。
図１０に示すように、変形例のナースコールシステム１００は、電話帳サーバ１２が設けられていることが上記実施形態と異なる。第１実施形態と同一要素及び同様な工程については、その詳しい説明を省略し、異なる要素及び工程のみを以下に説明する。
【００５０】
電話帳サーバ１２は、ローカル通信網を介してナースコール制御機７と通信可能に接続されているサーバであり、例えば病院内に設置されている。また、電話帳サーバ１２は、無線通信により携帯端末６と通信可能に接続されている。電話帳サーバ１２は、ナースコール子機２からナースコールが発信されたことを示す着信画面を生成する。なお、電話帳サーバは、病院外に設けられていて、インターネットを介してナースコール制御機と通信可能に接続されるようにしてもよい。
【００５１】
携帯端末６は、病院内に設置されたルータ（図示省略）を介して無線通信により携帯端末６と電話帳サーバ１２とを通信可能に接続する通信モードを有する。また、携帯アプリケーション６２（図４参照）には、例えば、ナースコールを知らせる呼出信号を携帯端末６が受信したとき、携帯端末６を電話帳サーバ１２の着信画面にアクセスさせるアプリケーションがインストールされている。携帯Ｉ／Ｆ６４は、電話帳サーバ１２と信号伝送路を形成するための通信部を構成している。
【００５２】
ナースコール制御機７は、ナースコール子機２からナースコールが発信された際に、ナースコール制御機７と電話帳サーバ１２との間の通信を制御する。
【００５３】
次に、電話帳サーバ１２の機能について図１１，図１２を参照して説明する。
図１１に示すように、電話帳サーバ１２は、サーバＣＰＵ１０１と、サーバＣＰＵ１０１に接続された電話帳テーブル１０２、着信画面生成部１０３、着信画面記録部１０４、及びサーバＩ／Ｆ１０５とを備えている。
【００５４】
電話帳テーブル１０２には、例えば図１２（ａ）に示すように、ナースコール制御機７の支配下にある、すなわちナースコール制御機７によって制御されている各ナースコール子機２の内線番号のみが登録されている。そして、ナースコール子機２からナースコールが発信されたタイミングで、例えば図１２（ｂ）に示すように、電話帳テーブル１０２には、そのナースコール子機２の内線番号に関連する患者の患者情報が内線番号に対応付けて記録される。また、例えば、電話帳テーブル１０２に記録された患者情報は、そのナースコールによる通話が終了した際に電話帳テーブル１０２から消去される。
【００５５】
着信画面生成部１０３は、ナースコール子機２からナースコールが発信されたことを示す着信画面を上記電話帳テーブル１０２に記録された患者情報をもとにして生成する。
着信画面記録部１０４は、着信画面生成部１０３で生成された着信画面が記録される。また、着信画面記録部１０４は、記録される着信画面に接続するための接続先情報、例えば着信画面にアクセス可能となるＵＲＬ情報（ＩＰアドレス）がその着信画面と対応付けて記憶される。着信画面記録部１０４に記録された着信画面及びその接続先情報は、そのナースコールによる通話が終了した際に着信画面記録部１０４から消去される。
【００５６】
サーバＣＰＵ１０１は、例えばナースコール制御機７との間の通信処理、及び携帯端末６との間の通信処理等を行う。サーバＩ／Ｆ１０５は、ネットワークＮ、及びルータとの信号伝送路を形成するための通信部を構成している。
【００５７】
次に、携帯端末の表示画面に電子カルテを表示している状態で、ナースコールがあった場合のナースコールシステム１００の動作の一例を説明する。
内科フロアにおける１０１号室のベッド番号１に入院している患者（「矢部裕之」）からナースコールがあった場合、医療従事者を呼び出すための呼出信号（ナースコール信号）が伝送線Ｌ１を介してナースコール子機２から廊下灯３へ送信され、ネットワークＮを介して、廊下灯３からナースコール子機ＩＤ付きの呼出信号がナースコール制御機７へ送信される。
【００５８】
ナースコール制御機７の制御機ＣＰＵ７１は、子機ＩＤ「１０１−１」に対応付けられている患者情報の中から、患者氏名および携帯端末ＩＤとを選択し、呼出信号にナースコール子機２の内線番号（図１２参照）を付加したものと、上記選択した患者氏名および携帯端末ＩＤとを構内交換機８へ送信する。構内交換機８は、受信した携帯端末ＩＤに基づいて送信先の携帯端末を特定する。構内交換機８は、内線番号付きの呼出信号と患者氏名とを、ローカル用基地局９を介して、携帯端末６ａ〜６ｃへ向けて送信する。
【００５９】
また、制御機ＣＰＵ７１は、子機ＩＤ「１０１−１」に対応付けられている患者情報の中から、着信画面を生成するために用いられる患者情報を選択する。そして、制御機ＣＰＵ７１は、呼出信号にナースコール子機２の内線番号を付加したものと、上記選択した患者情報とを電話帳サーバ１２へ送信する。
【００６０】
電話帳サーバ１２のサーバＣＰＵ１０１は、受信したナースコール子機２の内線番号を識別し、電話帳テーブル１０２に登録されている内線番号（図１２（ａ）参照）に対応付けて、受信した患者情報を電話帳テーブル１０２に記録する（図１２（ｂ）参照）。
【００６１】
電話帳サーバ１２の着信画面生成部１０３は、電話帳テーブル１０２に記録された患者情報（図１２（ｂ）参照）をもとにして着信画面を生成する。生成された着信画面は、当該着信画面にアクセス可能なＵＲＬ情報（ＩＰアドレス）と共に着信画面記録部１０４に記録される。
【００６２】
サーバＣＰＵ１０１は、呼出信号にナースコール子機２の内線番号を付加したものと、上記着信画面にアクセス可能なＵＲＬ情報とを携帯端末６ａ〜６ｅへ向けて送信する。
【００６３】
ナースコール制御機７から内線番号付きの呼出信号と患者氏名とを受信した携帯端末６ａ〜６ｃでは、呼出音が出力されるとともに、例えば図５（ｂ）に示すような着信を示すアイコン６５が表示画面の上端部に表示される。そして、所定時間経過後、病室番号、ベッド番号および患者氏名を含む呼出画面６６が電子カルテの一部に重ねて表示される（図５（ｃ）、図９（ａ）参照）。
【００６４】
また、電話帳サーバ１２から内線番号付きの呼出信号と着信画面にアクセス可能なＵＲＬ情報とを受信した携帯端末６ａ〜６ｅは、当該内線番号が上記構内交換機８を介してナースコール子機２から受信した内線番号と一致しているか判別する。本例では、チームナース体制で携帯端末６ａ〜６ｃがナースコール子機２から内線番号を受信しており、その内線番号は「９９１０１−１」で一致すると判別される。内線番号が一致すると判別した携帯端末６ａ〜６ｃは、呼出画面６６を表示して所定時間経過後、ＵＲＬ情報に基づいて、電話帳サーバ１２の着信画面にアクセスする。これにより、携帯端末６ａ〜６ｃの表示部には、呼出画面６６が重ねて表示された電子カルテの画面から、例えば図９（ｂ）に示すような着信画面６８に切り替わって表示される。なお、着信画面への切り替わりは、所定の動作、例えば、呼出画面をクリック操作すると、着信画面に切り替わる設定としてもよい。
【００６５】
電話帳テーブル１０２及び着信画面記録部１０４の各情報は、患者との通話が終了して終話処理がなされると消去される。
【００６６】
上記構成のナースコールシステム１によれば、患者がナースコール子機２を用いてナースコールしたとき、医療従事者が携帯する携帯端末６では、構内交換機８を介して送信されてきた呼出信号により呼出動作が行われるとともに、患者情報を含む呼出画面６６が携帯端末６の表示部に表示されている電子カルテの一部に重ねて表示される。このため、呼び出し直前まで見ていた電子カルテを見ながら、患者情報を確認できるため、ナースコール子機２からの呼出信号を受信した際の携帯端末６の利便性を向上させることができる。
【００６７】
また、患者情報として、患者氏名、病室番号およびベッド番号が表示される。このため、医療従事者は、呼出画面６６に含まれる患者氏名、病室番号およびベッド番号の患者情報を確認し、呼び出しへの応答の要否を判断することができる。
【００６８】
また、表示部に表示された呼出画面６６に対して所定の操作、例えば、スワイプ操作やクリック操作することによりナースコール子機３と通話可能になる。このため、医療従事者は、呼び出しへの応答が必要な場合には、ナースコール子機３と通話することが出来る。
【００６９】
また、表示部に表示された呼出画面６６に対して所定の操作、例えば、スワイプ操作やクリック操作することにより呼出画面６６を非表示とすることができる。このため、医療従事者は、呼び出し直前まで見ていた電子カルテの確認を優先すべき場合には、呼出画面６６を非表示とし、電子カルテの表示領域を広くすることができる。
【００７０】
また、電話帳サーバ１２は、ナースコール制御機７の記憶部７２から呼出信号と関連する患者の患者情報を受信して当該患者情報を用いて着信画面６８を生成する。この着信画面６８は、呼出画面６６より詳細な患者情報を含む。このため、医療従事者は、より詳細な患者情報を確認し、呼び出しへの応答の要否を判断することができる。
【００７１】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００７２】
上記形態では、携帯端末６に電子カルテを表示している状態でナースコールからの呼び出しを受けた場合について説明したが、電子カルテではなく、例えば、インターネットに接続して所定の情報を表示している状態の時にナースコールからの呼び出しを受けた場合にも適用可能である。
【００７３】
また、上記形態では、携帯端末６に着信画面６８を表示させる場合、携帯端末６がＵＲＬ情報に基づいて電話帳サーバ１２の着信画面にアクセスしているが、例えば、生成した着信画面を電話帳サーバ１２から携帯端末６へ送信し、患者との通話が終了するまで、あるいは所定時間が経過するまで携帯端末６の記憶部に記憶しておくようにしてもよい。
【００７４】
また、上記形態では、携帯端末６は電子カルテの情報をナースコール制御機７の電子カルテ記憶部７２ｂから取得しているが、例えば、携帯端末６は無線通信により管理サーバ１１と通信可能に接続され、無線通信を介して管理サーバ１１から電子カルテの情報を取得しておくようにしてもよい。
【００７５】
また、上記形態では、ナースコールからの呼出信号を受信する場合について説明したが、それ以外の呼出信号、例えば、スタッフコールからの呼出信号を受信する場合にも適用可能である。この場合、携帯端末６は、呼出種別（ナースコール、スタッフコール、等）に応じて、着信アイコン等を色分けして表示しても良い。
【符号の説明】
【００７６】
１、１００：ナースコールシステム、２：ナースコール子機、３：廊下灯、４：カメラ、５：ナースコール親機、６（６ａ〜６ｅ）：携帯端末、７：ナースコール制御機、８：構内交換機、９：ローカル用基地局、１０：オーダリングシステム、１１：管理サーバ、１２：電話帳サーバ、６５：着信アイコン、６６：呼出画面、６７：応答ボタン、６８：着信画面、７２ａ：患者情報テーブル、７２ｂ：電子カルテ記憶部、１０２：電話帳テーブル、１０３：着信画面生成部、１０４：着信画面記録部
【図１】
2019097864.tif 000003
【図２】
2019097864.tif 000004
【図３】
2019097864.tif 000005
【図４】
2019097864.tif 000006
【図５】
2019097864.tif 000007
【図６】
2019097864.tif 000008
【図７】
2019097864.tif 000009
【図８】
2019097864.tif 000010
【図９】
2019097864.tif 000011
【図１０】
2019097864.tif 000012
【図１１】
2019097864.tif 000013
【図１２】
2019097864.tif 000014